【事件の表示】
　平成８年特許願第１４８０２１号「化粧板」拒絶査定不服審判事件〔平成９年１１月２５日出願公開、特開平９−３００５２４〕について、次のとおり審決する。
【結　論】
　本件審判の請求は、成り立たない。
【理　由】
　第１　手続の経緯
　この出願は、平成８年５月１７日の特許出願であって、以降の手続の経緯は以下のとおりのものである。
　
　平成１６年７月２３日付け　拒絶理由通知
　平成１６年９月２８日　　　意見書・手続補正書
　平成１８年１月２０日付け　拒絶査定
　平成１８年２月２４日　　　審判請求
　平成１８年５月１７日　　　手続補正書（審判請求理由補充書）
　
第２　本願発明について
　この出願の発明は、平成１６年９月２８日付けでした手続補正により補正された明細書（以下、「本願明細書」という。）の記載からみて、その特許請求の範囲の請求項１〜８に記載された事項により特定される下記のものである。（以下、順に、「本願発明１」〜「本願発明８」といい、併せて「本願発明」という。）
「【請求項１】　木質系基材の表面に化粧シートが貼着された化粧板において、前記木質系基材の裏面に珪素酸化物の蒸着薄膜層を有する防湿シートが貼着され、前記化粧シートは、珪素酸化物の蒸着薄膜層を有する合成樹脂フイルム層の片面のみに紙層が積層され、前記木質系基材側から珪素酸化物の蒸着薄膜層を有する合成樹脂フイルム層、紙層、絵柄印刷層の順で積層されていることを特徴とする化粧板
【請求項２】　前記防湿シートが、珪素酸化物の蒸着薄膜層を有する合成樹脂フイルム層の片面のみに紙層が積層され、前記木質系基材側から珪素酸化物の蒸着薄膜層を有する合成樹脂フイルム層、紙層の順で積層されていることを特徴とする請求項１記載の化粧板。
【請求項３】　前記防湿シートが、珪素酸化物の蒸着薄膜層を有する合成樹脂フイルム層の両面に紙層が積層され、前記木質系基材側から紙層、珪素酸化物の蒸着薄膜層を有する合成樹脂フイルム層、紙層の順で積層されていることを特徴とする請求項１記載の化粧板。
【請求項４】　木質系基材の表面に化粧シートが貼着された化粧板において、前記木質系基材の裏面に珪素酸化物の蒸着薄膜層を有する防湿シートが貼着されており、前記防湿シートが、珪素酸化物の蒸着薄膜層を有する合成樹脂フイルム層の片面のみに紙層が積層され、前記木質系基材側から珪素酸化物の蒸着薄膜層を有する合成樹脂フイルム層、紙層の順で、積層され、前記化粧シートが、珪素酸化物の蒸着薄膜層を有していることを特徴とする化粧板。
【請求項５】　前記化粧シートが、珪素酸化物の蒸着薄膜層を有する合成樹脂フイルム層の両面に紙層が積層され、前記木質系基材側から珪素酸化物の蒸着薄膜層を有する合成樹脂フイルム層、紙層、絵柄印刷層の順で積層されていることを特徴とする請求項４記載の化粧板。
【請求項６】　前記合成樹脂フイルム層が２軸延伸ポリエステルフイルムであることを特徴とする請求項１〜５のいずれか１項記載の化粧板。
【請求項７】　前記紙層が２０〜５０ｇ／ｍ２の薄葉紙からなることを特徴とする請求項１〜６のいずれか１項記載の化粧板。
【請求項８】　前記珪素酸化物の蒸着薄膜層を有するシートが１ｇ／ｍ２・２４ｈｒ以下の透湿度であることを特徴とする請求項１〜７のいずれか１記載の化粧板。」
　
第３　原査定の拒絶の理由の概要
　本願発明についての原査定の拒絶の理由の概要は、「この出願の請求項１〜８に係る発明は、その出願の日前の特許出願であって、その出願後に出願公開された下記の特許出願の願書に最初に添付された明細書または図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により特許を受けることができない。」というものである。
　　　　　　　　　　　　　　　記
　特願平８−６１１５４号（特開平９−２４８８８２号）（原査定における先願１。以下、「先願」という。）
　
第４　先願の願書に最初に添付した明細書及び図面（以下、「先願明細書等」という。）に記載された事項
ａ「【請求項１】
　紙基材上に、接着性樹脂層と無機物質を含む防湿層と合成樹脂フイルムと接着性樹脂層と紙層を設けて成ることを特徴とする防湿シート。
【請求項２】
　前記防湿シートの片面に、絵柄層及び保護層を形成したことを特徴とする請求項１に記載の防湿シート。
【請求項３】
　木質基材の片面に、前記絵柄層及び保護層を有する防湿シートを、もう一方の面に、前記絵柄層及び保護層のない防湿シートを貼付けてなることを特徴とする請求項１及び請求項２に記載の化粧板。」（【特許請求の範囲】）
　
ｂ「【発明の属する技術分野】
　本発明は、室内扉、キッチン扉、収納扉、襖などに用いられる化粧シート及び化粧板に関し、詳しくは湿度、温度変化などによつて発生する反りを防止する機能を有する防湿シート、絵柄層及び保護層を有する防湿シート及び防湿化粧板に関するものである。」（【０００１】）
　
ｃ「前記紙基材１０または紙層１７としては、２０〜５０ｇ／ｍ２ の薄葉紙、紙間強化紙、片艶クラフト、純白ロールを用いることができる。」（【００１１】）
　
ｄ「また、無機物質を含む防湿層１４としては、ケイ素酸化物（ＳｉＯx ｘ＝１〜２）、‥（略）‥等の無機酸化物や金属酸化物の無機材料を、真空蒸着法やスパツタリング、イオンプレーティングまたは、プラズマ活性化化学反応蒸着法等で合成樹脂フイルム１５上へ薄膜形成を行うことができる。」（【００１５】）
　
ｅ「合成樹脂フイルム１５としては、ポリエチレン、ポリプロピレン、塩化ビニリデンコートのポリプロピレン、ポリ塩化ビニル、ポリスチレン、ポリアセタール、ポリカーボネート、ポリエステル、塩化ビニリデンコートのポリエステル、エチレンビニルアルコール共重合体、を用いることができる。」（【００１６】）
　
ｆ「木質基材２０としては、合板、パーティクルボード、中密度繊維板（ＭＤＦ）、ハードボード等を用いることができる。」（【００１７】）
　
ｇ「【実施例１】
　図１に基づき、防湿シートの実施例を説明する、坪量３０ｇ／ｍ２の紙間強化紙１０（天間特殊製紙（株）製）の片面に、ニトロセルロース系インキ（東洋インキ製造（株）製）により絵柄層を印刷し、その絵柄層上にアクリルウレタン樹脂保護層１２（２液硬化タイプ、東洋インキ製造（株）製）を６ｇ／ｍ２（ＤＲＹ）の厚みに塗布し化粧コート紙を得た。
　合成樹脂フイルム１５として、ポリエステル１２μ（ルミラー、東レ（株）製）に、真空蒸着法で７００オングストロームの厚さの二酸化ケイ素（ＳｉＯ２）防湿層１４を形成した。
　次に、ポリエチレンとエチレン−アクリル酸エチル共重合体を１：１にブレンド品を用いて１５μの厚みでエクストルーダーコーテイング法により、前記化粧コート紙の絵柄層のない面と二酸化ケイ素防湿層１４及び合成樹脂フイルム１５と紙層１７を貼合せて防湿化粧シートを作成した。
　次に、厚さ２．５ｍｍの中密度繊維強化板（ＭＤＦ）の両面に前記防湿化粧シートと防湿シート（図３）（前記防湿化粧シートの絵柄層１１と保護層１２のないシート）を、酢酸ビニル系エマルジョン接着剤にて貼合せて防湿化粧板（図２）を作成した。」（【００１８】〜【００２１】）
　
ｈ「
　
」（【図２】）
　
第５　当審の判断
１　先願明細書等に記載された発明
　先願明細書等には、室内扉などに用いられる「化粧シート及び化粧板」に関して記載されており（摘記ｂ）、具体的には、「紙基材上に、接着性樹脂層と無機物質を含む防湿層と合成樹脂フイルムと接着性樹脂層と紙層を設けて成ることを特徴とする防湿シート」（摘記ａ【請求項１】）、「紙基材上に、接着性樹脂層と無機物質を含む防湿層と合成樹脂フイルムと接着性樹脂層と紙層を設けて成ることを特徴とする防湿シートの片面に絵柄層及び保護層を形成したことを特徴とする防湿シート」（摘記ａ【請求項２】）、「木質基材の片面に、前記絵柄層及び保護層を有する防湿シートを、もう一方の面に、前記絵柄層及び保護層のない防湿シートを貼付けてなることを特徴とする化粧板」が記載されている（摘記ａ【請求項３】）。
　ここで、摘記ａ【請求項１】の「紙基材上に、接着性樹脂層と無機物質を含む防湿層と合成樹脂フイルムと接着性樹脂層と紙層を設けて成ることを特徴とする防湿シート」は、摘記ａ【請求項３】の「前記絵柄層及び保護層のない防湿シート」であり、摘記ａ【請求項２】の「紙基材上に、接着性樹脂層と無機物質を含む防湿層と合成樹脂フイルムと接着性樹脂層と紙層を設けて成ることを特徴とする防湿シートの片面に絵柄層及び保護層を形成したことを特徴とする防湿シート」は、摘記ａ【請求項３】の「前記絵柄層及び保護層を有する防湿シート」である。
　よって、摘記ａ【請求項３】には、「木質基材の片面に、紙基材上に、接着性樹脂層と無機物質を含む防湿層と合成樹脂フイルムと接着性樹脂層と紙層を設けて成ることを特徴とする防湿シートの片面に絵柄層及び保護層を形成したことを特徴とする防湿シートを、もう一方の面に、紙基材上に、接着性樹脂層と無機物質を含む防湿層と合成樹脂フイルムと接着性樹脂層と紙層を設けて成ることを特徴とする防湿シートを貼付けてなることを特徴とする化粧板」が記載されているといえる。
　そして、摘記ｇには、摘記ａ【請求項３】に記載されている「化粧板」を具体的に製造したものが記載されており、摘記ｇの「紙間強化紙の片面に、絵柄層を印刷し、その絵柄層上にアクリルウレタン樹脂保護層を塗布して化粧コート紙を得、該化粧コート紙の絵柄層のない面と二酸化ケイ素防湿層及び合成樹脂フイルムと紙層を貼合せて」作成した「防湿化粧シート」は、摘記ａ【請求項３】における「紙基材上に、接着性樹脂層と無機物質を含む防湿層と合成樹脂フイルムと接着性樹脂層と紙層を設けて成ることを特徴とする防湿シートの片面に絵柄層及び保護層を形成したことを特徴とする防湿シート」に相当することから、摘記ａ【請求項３】の「紙基材上に、接着性樹脂層と無機物質を含む防湿層と合成樹脂フイルムと接着性樹脂層と紙層を設けて成ることを特徴とする防湿シートの片面に絵柄層及び保護層を形成したことを特徴とする防湿シート」は「防湿化粧シート」であるといえる。
　また、摘記ｈを鑑みると、該防湿化粧シートは、木質基材側から、紙層（１７）、接着性樹脂層（１６）、合成樹脂フイルム（１５）、無機物質を含む防湿層（１４）、接着性樹脂層（１３）、紙基材（１０）、絵柄層（１１）、保護層（１２）の順に積層され、該防湿シートは、木質基材側から、紙基材（１０）、接着性樹脂層（１３）、無機物質を含む防湿層（１４）、合成樹脂フイルム（１５）、接着性樹脂層（１６）、紙層（１７）の順に積層されているといえる。
　そして、先願明細書等には、無機物質を含む防湿層として、ケイ素酸化物（ＳｉＯx ｘ＝１〜２）等の無機材料を真空蒸着法等で合成樹脂フイルム１５へ薄膜形成を行うことができる旨記載されている（摘記ｄ）ことから、上記「無機物質を含む防湿層」は「ケイ素酸化物を含む防湿層」であるといえる。
　よって、先願明細書には、
「木質基材の片面に、紙基材上に、接着性樹脂層とケイ素酸化物を含む防湿層と合成樹脂フイルムと接着性樹脂層と紙層を設けて成ることを特徴とする防湿シートの片面に絵柄層及び保護層を形成したことを特徴とする防湿化粧シートを、もう一方の面に、紙基材上に、接着性樹脂層とケイ素酸化物を含む防湿層と合成樹脂フイルムと接着性樹脂層と紙層を設けて成ることを特徴とする防湿シートを貼付けてなる化粧板において、前記防湿化粧シートは、木質基材側から、紙層、接着性樹脂層、合成樹脂フイルム、ケイ素酸化物を含む防湿層、接着性樹脂層、紙基材、絵柄層、保護層の順に積層され、前記防湿シートは、木質基材側から、紙基材、接着性樹脂層、ケイ素酸化物を含む防湿層、合成樹脂フイルム、接着性樹脂層、紙層の順に積層されていることを特徴とする化粧板」
の発明（以下、「先願発明」という。）が記載されていると認められる。
　
２　対比・判断
【本願発明１について】
　本願発明１と先願発明とを対比すると、先願発明の「木質基材」としては、合板、パーティクルボード、中密度繊維板(MDF)、ハードボード等が例示されており（摘記ｆ）、一方、本願発明１の「木質系基材」としては、合板、パーチクルボード、MDF、ハードボード等が例示されていることから（本願明細書の段落【００２０】）、先願発明の「木質基材」は本願発明１の「木質系基材」に相当する。
　また、先願発明の「防湿化粧シート」は防湿性を有する化粧シートであるから、本願発明の「化粧シート」に相当し、先願発明の「防湿シート」、「ケイ素酸化物」、「紙基材」、「絵柄層」は、それぞれ本願発明の「防湿シート」、「珪素酸化物」、「紙層」、「絵柄印刷層」に相当する。
　さらに、先願明細書等には、無機物質を含む防湿層として、ケイ素酸化物（ＳｉＯx ｘ＝１〜２）等の無機材料を真空蒸着法等で合成樹脂フイルム１５へ薄膜形成を行うことができる旨記載されていることから（摘記ｄ）、先願発明の「ケイ素酸化物を含む防湿層」と「合成樹脂フイルム」からなる層は、本願発明の「珪素酸化物の蒸着薄膜層を有する合成樹脂フイルム層」に相当するといえ、先願発明のシートを「貼り付けてなる」ことと、本願発明のシートが「貼着された」こととは同義である。
　そして、化粧板において、化粧シートを貼付ける側が木質基材の表面であることは自明であるから、先願発明における「防湿化粧シート」を貼り付ける面が表面であり、「防湿シート」を貼り付けるもう一方の面が裏面であることは明らかである。
　よって、両者は、
「木質系基材の表面に化粧シートが貼着された化粧板において、前記木質系基材の裏面に珪素酸化物の蒸着薄膜層を有する防湿シートが貼着されていることを特徴とする化粧板」
である点で一致し、以下の点（ｉ）で一応相違するかにみえる。
（ｉ）化粧シートが、本願発明１においては、「珪素酸化物の蒸着薄膜層を有する合成樹脂フイルム層の片面のみに紙層が積層され、前記木質系基材側から珪素酸化物の蒸着薄膜層を有する合成樹脂フイルム層、紙層、絵柄印刷層の順で積層され」ているのに対して、先願発明においては、「木質基材側から、紙層、合成樹脂フイルム、ケイ素酸化物を含む防湿層、紙基材、絵柄層、保護層の順で積層され」ている、すなわち、ケイ素酸化物の蒸着薄膜層を有する合成樹脂フイルム層の両面に紙層が積層され、木質基材側から、紙層、ケイ素酸化物の蒸着薄膜層を有する合成樹脂フイルム層、紙基材、絵柄層、保護層の順で積層されている点
　
　上記相違点（ｉ）について検討する。
　木質系基材に防湿シートを積層するにあたり、溶着や接着剤を用いる接着により木質系基材に防湿シートを直接積層することも、木質系基材と防湿シートの間に紙層を設けて糊などの接着剤で接着することにより木質系基材に防湿シートを積層することも、当該技術分野における周知・慣用技術である（例えば、特開平７−２５１４０７号公報等参照）。
　また、化粧シートにおいて、表面物性を向上させる目的で、パターン印刷層、すなわち、絵柄層の上に保護層を設けることは、当該技術分野において周知・慣用である（例えば、特開平３−７３４０号公報等参照）。
　ここで、先願発明の防湿化粧シートは防湿性を有する化粧シートであるから、先願発明において、防湿化粧シートと木質基材との間に紙層設けて接着剤で接着する代わりに、防湿化粧シートと木質基材を直接積層し、かつ、絵柄層上の保護層を設けないこと、すなわち、先願発明において、防湿化粧シートを、ケイ素酸化物の蒸着薄膜層を有する合成樹脂フイルム層の片面に紙層が積層され、木質基材側から、ケイ素酸化物の蒸着薄膜層を有する合成樹脂フイルム層、紙基材、絵柄層の順で積層されているものとすることは、単なる周知・慣用技術の転換及び削除であり、これにより新たな効果を奏するものでもないから、上記相違点（ｉ）は、実質的な相違点ではない。したがって、本願発明１は先願発明と実質的に同一である。
　
【本願発明２について】
　本願発明２は、本願発明１の防湿シートが、珪素酸化物の蒸着薄膜層を有する合成樹脂フイルム層の片面のみに紙層が積層され、木質系基材側から珪素酸化物の蒸着薄膜層を有する合成樹脂フイルム層、紙層の順で積層されているものであるが、上記【本願発明１について】で示したように、木質系基材に防湿シートを積層するにあたり、木質系基材に防湿シートを直接積層することも、木質系基材と防湿シートの間に紙層を設けて木質系基材に防湿シートを積層することも、当該技術分野における周知・慣用技術である。してみると、先願発明において、防湿シートが、木質基材側から、紙基材、接着性樹脂層、ケイ素酸化物を含む防湿層、合成樹脂フイルム、接着性樹脂層、紙層の順に積層されているところを、防湿シートと木質基材との間に紙層を設けて接着剤で接着する代わりに、防湿シートと木質系基材を直接積層すること、すなわち、防湿シートを、ケイ素酸化物の蒸着薄膜層を有する合成樹脂フイルムの片面に紙層が積層され、木質基材側から、ケイ素酸化物を含む防湿層、合成樹脂フイルム（ケイ素酸化物の蒸着薄膜層を有する合成樹脂フイルム層）、紙層の順で積層されているものとすることは、単なる周知・慣用技術の転換であり、これにより新たな効果を奏するものでもないから、上記相違点（ｉ）は、実質的な相違点ではない。したがって、本願発明２は先願発明と実質的に同一である。
　
【本願発明３について】
　本願発明３は、本願発明１の防湿シートが、珪素酸化物の蒸着薄膜層を有する合成樹脂フイルム層の両面に紙層が積層され、前記木質系基材側から紙層、珪素酸化物の蒸着薄膜層を有する合成樹脂フイルム層、紙層の順で積層されているものであるから、【本願発明１について】の検討で説示した理由と同一の理由により、本願発明３と先願発明は実質的に同一である。
　
【本願発明４について】
　本願発明４と先願発明とを対比すると、【本願発明１について】で示したように、先願発明の「木質基材」、「防湿化粧シート」、「防湿シート」及び「ケイ素酸化物」は、本願発明４の「木質系基材」、「化粧シート」、「防湿シート」及び「珪素酸化物」に相当し、先願発明の「ケイ素酸化物を含む防湿層」と「合成樹脂フイルム」からなる層は、本願発明の「珪素酸化物の蒸着薄膜層を有する合成樹脂フイルム層」に相当し、先願発明のシートを「貼り付けてなる」ことと、本願発明のシートが「貼着された」こととは同義である。
　そして、【本願発明１について】で示したように、先願発明における「防湿化粧シート」を貼り付ける面が表面であり、「防湿シート」を貼り付けるもう一方の面が裏面であるといえる。
　そして、先願発明の「防湿化粧シート」は、「紙基材上に、接着性樹脂層とケイ素酸化物を含む防湿層と合成樹脂フイルムと接着性樹脂層と紙層」を有することから、ケイ素酸化物の蒸着薄膜層を有することは明らかである。
　してみると、両者は、
「木質系基材の表面に化粧シートが貼着された化粧板において、前記木質系基材の裏面に珪素酸化物の蒸着薄膜層を有する防湿シートが貼着されており、前記化粧シートが、珪素酸化物の蒸着薄膜層を有していることを特徴とする化粧板。」
である点で一致し、以下の点（ｉｉ）で一応相違するかにみえる。
（ｉｉ）防湿シートが、本願発明４においては、「珪素酸化物の蒸着薄膜層を有する合成樹脂フイルム層の片面のみに紙層が積層され、前記木質系基材側から珪素酸化物の蒸着薄膜層を有する合成樹脂フイルム層、紙層の順で、積層され」ているのに対して、先願発明においては、「木質基材側から、紙基材、ケイ素酸化物を含む防湿層、合成フイルム、紙層の順で積層され」ている、すなわち、ケイ素酸化物の蒸着薄膜層を有する合成フイルム層の両面に紙層が積層され、木質基材側から、紙基材、ケイ素酸化物の蒸着薄膜層を有する合成フイルム層、紙層の順で積層されている点
　
　上記相違点（ｉｉ）について検討する。
　木質系基材に防湿シートを積層するにあたり、溶着や接着剤を用いる接着により木質系基材に防湿シートを直接積層することも、木質系基材と防湿シートの間に紙層を設けて糊などの接着剤で接着することにより木質系基材に防湿シートを積層することも、当該技術分野における周知・慣用技術である（特開平７−２５１４０７号公報等参照）。
　よって、先願発明において、防湿シートと木質基材との間に紙層を設けて接着剤で接着する代わりに、防湿シートと木質基材を直接積層すること、すなわち、防湿シートを、ケイ素酸化物の蒸着薄膜層を有する合成樹脂フイルム層の片面にのみ紙層が積層され、木質基材側から、ケイ素酸化物を含む防湿層、合成フイルム（ケイ素酸化物の蒸着薄膜層を有する合成樹脂フイルム層）、紙層の順で積層されているものとすることは、単なる周知・慣用技術の転換であり、これにより新たな効果を奏するものでもないから、上記相違点（ｉｉ）は、実質的な相違点ではない。したがって、本願発明４は先願発明と実質的に同一である。
　
【本願発明５について】
　本願発明５は、本願発明４の化粧シートが、珪素酸化物の蒸着薄膜層を有する合成樹脂フイルム層の両面に紙層が積層され、前記木質系基材側から珪素酸化物の蒸着薄膜層を有する合成樹脂フイルム層、紙層の順で積層されているものである。ここで、「珪素酸化物の蒸着薄膜層を有する合成樹脂フイルム層の両面に紙層が積層され」た場合には、木質系基材側から
紙層
紙層
　
【本願発明６について】
　本願発明６は、本願発明１〜５の合成樹脂フイルムを２軸延伸ポリエステルフイルムとしたものであるが、基材フイルムに金属酸化物の薄膜を形成し、水蒸気バリア性、すなわち、防湿性を有するフイルムを成形するにあたり、該基材フイルムとして、２軸延伸ポリエステルフイルムを用いることは、当該技術分野における周知・慣用技術である（例えば、特開平８−９２７２７号公報（拒絶理由通知書で引用した引用文献３）、特開昭５４−１５２０８９号公報（拒絶理由通知書で引用した引用文献４）等参照）。
　そして、先願明細書等には、合成樹脂フイルムとしてポリエステルが記載されており（摘記ｅ）、該合成樹脂フイルムはケイ素酸化物の蒸着薄膜層を有するものであるから（摘記ｄ）、先願発明において、合成樹脂フイルムとして、当該技術分野で通常用いられる２軸延伸ポリエステルフイルムを適用することは、単なる周知・慣用技術の転換であり、これにより新たな効果を奏するものでもないから、新たな相違点はない。したがって、本願発明６は先願発明と実質的に同一である。
　
【本願発明７について】
　本願発明７は、本願発明１〜６の紙層を２０〜５０ｇ／ｍ２の薄葉紙とするものであるが、先願明細書等には、紙基材または紙層として、２０〜５０ｇ／ｍ２の薄葉紙等を用いることができる旨記載されていることから（摘記ｃ）、新たな相違点はない。したがって、本願発明７は先願発明と実質的に同一である。
　
３　小括
　よって、本願発明１〜７は、先願明細書の願書に最初に添付した明細書に記載された発明と同一であり、しかも本願発明１〜７の発明者が先願明細書に記載された発明の発明者と同一であるとも、また本願の出願の時において、その出願人が先願の出願人と同一であるとも認められないので、本願発明１〜７は、特許法第２９条の２の規定により特許を受けることができない。
　
第６　むすび
　以上のとおり、本願発明１〜７は、特許法第２９の２項の規定により特許を受けることができないものであるから、本願発明８について検討するまでもなく、この出願は拒絶すべきものである。
　よって、結論のとおり審決する。